(57)【要約】本発明は、表示パネルとバックライトとを組み付けるのみでテレビ受信装置等の最終製品として供することが可能であり、しかも光学部材の揺動等に基づく傷付を防止ないし抑制することが可能な表示装置を提供することを目的とする。本発明の表示装置１００は、表示パネル１１が取り付けられてなる第１キャビネットＣａと、光源５０が取り付けられてなる第２キャビネットＣｂと、を備え、第１キャビネットＣａと第２キャビネットＣｂとは、両者の間に光源５０からの光を拡散する光学部材２０を挟んで組み付けられており、光学部材２０は、相対的に重量の大きい第１光学部材２２と、相対的に重量の小さい第２光学部材２１とを備え、第１光学部材２２は、第１キャビネットＣａ又は第２キャビネットＣｂの少なくとも一方に設けられた突部１４ａ（３８ａ）の頂部により押え付けられていることを特徴とする。
2010146931.tif 000002
【特許請求の範囲】
【請求項１】
光源と、
前記光源の光を利用して表示を行う表示パネルと、
前記表示パネルが取り付けられてなる第１キャビネットと、
前記光源が取り付けられてなる第２キャビネットと、を備え、
前記第１キャビネットと前記第２キャビネットとは、両者の間に光学部材を挟んで組み付けられており、
前記光学部材は、相対的に重量の大きい第１光学部材と、相対的に重量の小さい第２光学部材とを備え、
前記第１光学部材は、前記第１キャビネット又は前記第２キャビネットの少なくとも一方に設けられた突部の頂部により押え付けられていることを特徴とする表示装置。
【請求項２】
前記第２光学部材には、前記突部を回避する形にて切欠が形成されていることを特徴とする請求項１に記載の表示装置。
【請求項３】
前記第１光学部材は、前記第１キャビネット及び前記第２キャビネットの双方に設けられた突部の頂部により押え付けられていることを特徴とする請求項１又は請求項２に記載の表示装置。
【請求項４】
前記第１光学部材は、少なくとも前記第２キャビネットに設けられた突部の頂部により押え付けられており、
前記第２キャビネットには、その底面に反射シートが設けられ、
前記反射シートは、前記光学部材と同様に、前記第１キャビネットと前記第２キャビネットとの間に挟まれており、前記第２キャビネットに設けられた突部を回避する形の切欠を有することを特徴とする請求項１から請求項３のいずれか１項に記載の表示装置。
【請求項５】
前記第１キャビネットと前記第２キャビネットとが当該表示装置の外観を構成する外箱とされていることを特徴とする請求項１から請求項４のいずれか１項に記載の表示装置。
【請求項６】
前記第１キャビネットは枠状に構成され、その枠内に前記表示パネルの表示面が配されていることを特徴とする請求項１から請求項５のいずれか１項に記載の表示装置。
【請求項７】
前記第１キャビネットは弾性変形可能な爪部を備え、その爪部に前記表示パネルが係止されていることを特徴とする請求項１から請求項６のいずれか１項に記載の表示装置。
【請求項８】
前記第２キャビネットは、底面と、前記底面から立設する壁部とを備え、
前記底面に前記光源が取り付けられていることを特徴とする請求項１から請求項７のいずれか１項に記載の表示装置。
【請求項９】
前記第２キャビネットの内側には、前記光源に対して駆動電力を供給するための駆動電力供給基板が配されていることを特徴とする請求項１から請求項８のいずれか１項に記載の表示装置。
【請求項１０】
前記第２キャビネットには、前記第１キャビネット側に突出する爪部規制用突部が形成され、
前記第１キャビネットには、前記表示パネルを係止する爪部と、前記爪部の前記表示パネルを係止する側とは反対側に配され、前記爪部規制用突部が収容される突部収容部が形成されており、
前記突部収容部に収容された前記爪部規制用突部が、前記爪部を前記表示パネル側に付勢していることを特徴とする請求項１から請求項９のいずれか１項に記載の表示装置。
【請求項１１】
前記爪部規制用突部が前記光学部材の面方向の移動を規制していることを特徴とする請求項１０に記載の表示装置。
【請求項１２】
前記第２キャビネットは前記光源が取り付けられた底面を備え、
前記底面の一部の領域に前記光源が偏在してなる一方、前記底面の前記光源が配された領域と異なる領域には、前記光源に対して駆動電力を供給するための駆動電力供給基板が配されていることを特徴とする請求項１から請求項１１のいずれか１項に記載の表示装置。
【請求項１３】
前記表示パネルが液晶を用いた液晶パネルであることを特徴とする請求項１から請求項１２のいずれか１項に記載の表示装置。
【請求項１４】
請求項１から請求項１３のいずれか１項に記載の表示装置を備えることを特徴とするテレビ受信装置。
【発明の詳細な説明】
【技術分野】
【０００１】
本発明は、表示装置、及びテレビ受信装置に関する。
【背景技術】
【０００２】
例えば、液晶テレビなどの液晶表示装置に用いる液晶パネルは、自発光しないため、別途に照明装置としてバックライトを必要としている。特許文献１に記載の液晶表示装置は、バックライトが、複数の冷陰極管を収容したシャーシと、シャーシに光学部材を位置決めするためのフレームとからなり、このバックライトと液晶パネルとが、液晶パネルの表側から被せたベゼルによって組付け状態に保持された構成を有している。そして、この液晶表示装置を表裏両キャビネットで挟むようにしてテレビ受信装置を構成している。つまり、特許文献１にも明示されているように、液晶パネルとバックライトとをそれぞれ別途に製造し、それらをベゼルなどを用いて互いに組み付けることで液晶表示装置を製造し、さらに液晶表示装置を一対のキャビネットで挟むことでテレビ受信装置を製造しているのである。
【先行技術文献】
【特許文献】
【０００３】
【特許文献１】特開２００８−２９３７１１号公報
【０００４】
（発明が解決しようとする課題）
特許文献１の技術では、液晶パネルとバックライトとを別途生産し、これらを別工程で組み付け、さらに別工程でキャビネットに収容させることでテレビ受信装置を構成しているが、このような方法は工程数が増えるため必ずしも効率的な方法ではない。
また、特許文献１の技術では、液晶パネルをバックライトに対してベゼルにより組み付けるものとしているが、例えば液晶パネルを直接バックライトに載置した後、ベゼルにより組付けを行う場合、載置する部分を広幅にとると液晶パネルの有効表示領域が小さくなるため、載置部分を狭幅にとる必要性が生じる。しかしながら、狭幅部分に液晶パネルを載置することは、広幅部分に載置する場合に比して作業性が低いという問題を有している。【０００５】
さらに、特許文献１の技術のように、拡散板等の光学部材は、フレームやホルダ等の挟持部材により挟持されて、位置決め固定されている。しかしながら、拡散板等の光学部材は樹脂製であるため、冷陰極管点灯に基づく発熱の影響で、上記のように端部を固定してしまうと、シワが発生して、表示不良を生じる場合がある。一方、拡散板等の光学部材は固定しないと揺動し、この揺動に起因して当該光学部材に傷が発生する場合もある。
【発明の概要】
【０００６】
本発明は上記問題に鑑みてなされたものであって、表示パネル（パネルを備えた部品）とバックライト（光源を備えた部品）とを組み付けるのみでテレビ受信装置等の最終製品として供することが可能であり、しかもパネルをバックライトに組み付ける場合の作業性にも優れ、さらには光学部材の揺動等に基づく傷付を防止ないし抑制することが可能な表示装置を提供することを目的としている。また、本発明は、そのような表示装置を備えたテレビ受信装置を提供することを目的としている。
【０００７】
（課題を解決するための手段）
上記課題を解決するために、本発明の表示装置は、光源と、前記光源の光を利用して表示を行う表示パネルと、前記表示パネルが取り付けられてなる第１キャビネットと、前記光源が取り付けられてなる第２キャビネットと、を備え、前記第１キャビネットと前記第２キャビネットとは、両者の間に光学部材を挟んで組み付けられており、前記光学部材は、相対的に重量の大きい第１光学部材と、相対的に重量の小さい第２光学部材とを備え、前記第１光学部材は、前記第１キャビネット又は前記第２キャビネットの少なくとも一方に設けられた突部の頂部により押え付けられていることを特徴とする。
【０００８】
このような表示装置によると、第１キャビネットには表示パネルを、第２キャビネットには光源を取り付けているため、各キャビネットを組み付けることで、光源からの光を利用した表示パネルの表示機能を実現することが可能となり得る。また、第１キャビネットと第２キャビネットとの間に挟む光学部材について、相対的に重量の大きい第１光学部材を、キャビネットに設けた突部の頂部により押え付けるものとしているため、重量の大きい第１光学部材が揺動する不具合が生じ難いものとなる。したがって、該揺動に基づく他部材との間の摩擦が生じ難く、故に、摩擦により傷が付いてしまう等の不具合が生じ難いものとなる。また、特に突部の頂部により押え付けるものとしているため、押えられる部分の面積が小さく、したがって光源等からの発熱による伸縮（熱膨張）に自由度があり、シワが発生する等の不具合も生じ難いものとなる。
【０００９】
上記構成において、前記第２光学部材には、前記突部を回避する形にて切欠が形成されているものとすることができる。
この場合、相対的に重量の小さい第２光学部材は、突部により押え付けられることがないため伸縮等に対して自由となり、シワが発生し難いものとなる。特に、第２光学部材の厚さが小さい場合（第１光学部材に対して薄肉の場合）には、シワが発生し易い場合が多いため、その防止効果が一層顕著となり得る。なお、第２光学部材は、突部を回避しているため、揺動し得ることとなるが、重量が小さいために摩擦等による傷付きの可能性は小さい。
【００１０】
また、前記第１光学部材は、前記第１キャビネット及び前記第２キャビネットの双方に設けられた突部の頂部により押え付けられているものとすることができる。
この場合、第１光学部材が挟持される面の双方が、突部の頂部により押え付けられるものとなるため、重量の大きい第１光学部材が揺動する不具合が一層生じ難いものとなる。したがって、該揺動に基づく他部材との間の摩擦が生じ難く、故に、摩擦により傷が付いてしまう等の不具合が生じ難いものとなる。また、特に挟持される面の双方が突部の頂部により押え付けられるため、押えられる部分の面積が小さく、したがって光源等からの発熱による伸縮（熱膨張）に一層自由度があり、シワが発生する等の不具合も一層生じ難いものとなる。
【００１１】
また、前記第１光学部材は、少なくとも前記第２キャビネットに設けられた突部の頂部により押え付けられており、前記第２キャビネットには、その底面に反射シートが設けられ、前記反射シートは、前記光学部材と同様に、前記第１キャビネットと前記第２キャビネットとの間に挟まれており、前記第２キャビネットに設けられた突部を回避する形の切欠を有するものとすることができる。
この場合、反射シートをキャビネット間で挟持して固定可能となるとともに、第２キャビネットの突部は反射シートを回避し、該突部により第１光学部材を押え付けるものとしているため、反射シートと第１光学部材とが強い力で擦れ合うことが回避され、擦れに起因するキシミ音の発生を防止ないし抑制することが可能となる。
【００１２】
また、前記第１キャビネットと前記第２キャビネットとを、当該表示装置の外観をなす外箱として構成することができる。
この場合、第１キャビネット及び第２キャビネットが当該表示装置の外観をなす外箱を構成するため、これら第１キャビネットと第２キャビネットとを組み付けるのみで、当該表示装置をテレビ受信装置等の最終製品として供することが可能となる。特に、本発明では、表示パネル（パネルを備えた部品）とバックライト（光源を備えた部品）との間においてベゼル等の取付部材を廃止できるため、材料コストの削減が実現されている。また従来のように表示パネル（パネルを備えた部品）とバックライト（光源を備えた部品）の組付け後にこれを別個のキャビネットに収容することでテレビ受信装置等の最終製品を供する場合に比して、組付け工程数が削減されるため、この点でもコスト削減を実現できるものとなっている。
また、従来で言う表示パネル（パネルを備えた部品）とバックライト（光源を備えた部品）との位置合せが、第１キャビネットと第２キャビネットとの組付けにより実現されるため、その作業性が向上し、表示パネルにおいて位置合せ用の領域を確保する必要がなくなる。したがって、当該表示パネルの有効表示領域が小さくなる事態を伴うことなく、位置合せを容易に行うことが可能となる。
【００１３】
上記構成において、前記第１キャビネットは枠状に構成され、その枠内に前記表示パネルの表示面が配されているものとすることができる。
この場合、第１キャビネットと第２キャビネットを係合することのみで、表示パネルの表示面を構成することができ、テレビ受信装置等の最終製品を供することが可能となる。
【００１４】
また、前記第１キャビネットは弾性変形可能な爪部を備え、その爪部に前記表示パネルが係止されているものとすることができる。
このように弾性変形可能な爪部により表示パネルを係止する場合、その弾性変形を利用した表示パネルの着脱が可能となる。また、表示パネルを係止する力が強固となる方向に当該爪部を弾性変形することで、表示パネルの係止を一層確実なものとすることが可能となる。
【００１５】
また、前記第２キャビネットは、底面と、前記底面から立設する壁部とを備え、前記底面に前記光源が取り付けられているものとすることができる。
このように底面に光源を取り付けることで、表示パネルと光源との距離を大きく確保することが可能となり、ひいては光源から出射される光のムラを解消することが可能となる。
【００１６】
また、前記第２キャビネットの内側には、前記光源に対して駆動電力を供給するための駆動電力供給基板が配されているものとすることができる。
第１キャビネットと第２キャビネットは、当該表示装置の外観をなす外箱を構成しているため、その外側に駆動電力を供給するための駆動電力供給基板を配することは、意匠上も安全上も好ましくない。そこで、光源が取り付けられた第２キャビネットの内側に駆動電力供給基板を配することとし、意匠上及び安全上の問題を解消し、しかも電力供給に係る配線等の簡素化も実現することとした。
【００１７】
また、前記第２キャビネットには、前記第１キャビネット側に突出する爪部規制用突部が形成され、前記第１キャビネットには、前記表示パネルを係止する爪部と、前記爪部の前記表示パネルを係止する側とは反対側に配され、前記爪部規制用突部が収容される突部収容部が形成されており、前記突部収容部に収容された前記爪部規制用突部が、前記爪部を前記表示パネル側に付勢しているものとすることができる。
このように第２キャビネットの爪部規制用突部により爪部を表示パネル側に付勢するものとすれば、表示パネルの係止を一層強固にでき、表示パネルが揺動し、ひいては位置ズレする不具合を解消することが可能となる。
【００１８】
前記第２キャビネットは前記光源が取り付けられた底面を備え、前記底面の一部の領域に前記光源が偏在してなる一方、前記第２キャビネットの内側のうち前記光源が配された領域と異なる領域には、前記光源に対して駆動電力を供給するための駆動電力供給基板が配されているものとすることができる。
このように光源が配置されていない領域に駆動電力供給基板を配することで、第２キャビネットの内側に好適に駆動電力供給基板を配置することが可能となる。
【００１９】
なお、表示パネルとしては液晶パネルを例示することができる。このような表示装置は液晶表示装置として、種々の用途、例えばテレビやパソコンのデスクトップ画面等に適用でき、特に超薄型のテレビ受信装置として好適である。
【００２０】
（発明の効果）
本発明によると、表示パネル（パネルを備えた部品）とバックライト（光源を備えた部品）とを組み付けるのみでテレビ受信装置等の最終製品として供することが可能であり、しかもパネルをバックライトに組み付ける場合の作業性にも優れ、さらには光学部材の揺動等に基づく傷付を防止ないし抑制することが可能な表示装置を提供することが可能となる。
【図面の簡単な説明】
【００２１】
【図１】本発明の実施形態１に係るテレビ受信装置の概略構成を示す分解斜視図。
【図２】図１のテレビ受信装置が備える液晶表示装置の構成を示す断面模式図。
【図３】図２における第１キャビネットと第２キャビネットの組付部分ないし光学部材の取付部分を拡大して示す断面模式図。
【図４】図３のＡ−Ａ’線断面の構成を示す断面模式図。
【図５】図２における光学部材の取付部分を拡大して示す斜視図。
【図６】図２における液晶パネルと光学部材と反射シート等の組付関係を示す平面模式図。
【図７】実施形態１において、第１キャビネットに液晶パネルを取り付ける態様を示す模式図。
【図８】実施形態１において、第１キャビネットに光学シートを取り付ける態様を示す模式図。
【図９】実施形態１において、第２キャビネットに反射シートを取り付ける態様を示す模式図。
【図１０】実施形態１において、第２キャビネットに拡散板を取り付ける態様を示す模式図。
【図１１】実施形態１において、第１キャビネットと第２キャビネットとを組み付ける態様を示す模式図。
【図１２】実施形態２の液晶表示装置の要部を拡大して示す断面模式図。
【図１３】実施形態３の液晶表示装置の要部を拡大して示す断面模式図。
【発明を実施するための形態】
【００２２】
＜実施形態１＞
本発明の実施形態１について図面を参照しつつ説明する。
図１に示したテレビ受信装置ＴＶは、液晶表示装置１０と、この液晶表示装置１０を載置するためのスタンドＳと、図示しない電源やチューナー等と、を備えて構成されている。
【００２３】
液晶表示装置（表示装置）１０は、全体として横長の方形を成し、縦置き状態でスタンドＳに支持されている。具体的には、横長方形の第１キャビネットＣａと第２キャビネットＣｂとによりその外観が構成され、これら第１キャビネットＣａと第２キャビネットＣｂが係合されて当該液晶表示装置１０の外箱を構成している。
【００２４】
第１キャビネットＣａは枠状の樹脂部材にて構成され、その枠内に収容される形で液晶パネル（表示パネル）１１が取り付けられており、液晶パネル１１の表示面１１ａが枠内に配されている。なお、第１キャビネットＣａの表面側にはスピーカ１１ｂ等が設けられている。一方、第２キャビネットＣｂは開口を有した箱状の樹脂部材にて構成され、箱底を構成する底面３０と、底面３０から立設する壁部３１とを備え、熱陰極管５０は底面３０に取り付けられている。
【００２５】
液晶表示装置１０においては、第１キャビネットＣａに対し、液晶パネル１１の表示面１１ａとは反対側に第２キャビネットＣｂが取り付けられ、第２キャビネットＣｂの熱陰極管５０から液晶パネル１１に対して光が供給される構成となっている。なお、第１キャビネットＣａと第２キャビネットＣｂとの間、詳しくは液晶パネル１１と熱陰極管５０との間には拡散板等の光学部材２０が配され、熱陰極管５０からの光を面状に拡散している。
【００２６】
ここで、液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。また、光学部材２０は、図２に示したように、第２キャビネットＣｂ側に相対的に重量で厚さの大きい拡散板２２を、第１キャビネットＣａ側に相対的に軽量で厚さの小さい拡散レンズや反射型偏光シート等の光学シート２１を含んで構成されている。
【００２７】
続いて、第１キャビネットＣａ及び第２キャビネットＣｂの構成、さらにはこれら第１キャビネットＣａと第２キャビネットＣｂとの組付けについて説明する。
【００２８】
第１キャビネットＣａは、図２に示すように、液晶パネル１１を係止するための爪部１３を有している。爪部１３は、図３に示すように係止面１３ｂを備え、当該係止面１３ｂと、その係止面１３ｂと対向して配される弾性部材（ポロン等）１２との間で、液晶パネル１１を挟持するものとなっている。また、爪部１３自身が弾性変形可能となっており、図７に示すように、液晶パネル１１を第１キャビネットＣａに取り付ける際には、爪部１３が拡開する方向（外側）に弾性変形し、液晶パネル１１が取り付けられた後には、液晶パネル１１を締め付ける方向（内側）に弾性変形する構成とされている（詳細は後述）。
【００２９】
また、第１キャビネットＣａの爪部１３には、液晶パネル１１を爪部１３の係止面１３ｂ内に収容する際に、この液晶パネル１１を押し込み方向（図７矢印方向）にガイドしつつ、押し込みに伴って爪部１３を弾性変形させることが可能なように、傾斜面１３ａが付与されている。なお、爪部１３の裏側、つまり液晶パネル１１を係止する側とは反対側には、後述する第２キャビネットＣｂの爪部規制用突部３５を収容するための突部収容部１８が形成されている（図７参照）。
【００３０】
第１キャビネットＣａには、光学部材２０を挟持するための挟持用片部（第１挟持用部材）１４が形成されている。挟持用片部１４は同一平面内に複数形成され、隣り合う挟持用片部１４，１４の間に、平面視において爪部１３が位置するように各挟持用片部１４，１４、爪部１３，１３が配置されている（図６参照）。つまり、平面視において互いに重ならないように、挟持用片部１４と爪部１３とが配置されているのである。
【００３１】
この挟持用片部１４は、第２キャビネットＣｂに設けられた挟持用片部３８（第２挟持用部材）との間で光学部材２０と反射シート６０とを挟持するものとなっている。そして、特に挟持用片部１４には第２キャビネットＣｂ側に突出する突部１４ａが形成されており、この突部（第１突部）１４ａの頂面（頂部）１４ｂにて光学部材２０のうち拡散板２２のみを押え付ける構成となっている。つまり、拡散板２２よりも挟持用片部１４側に配される光学シート２１については突部１４ａに押え付けられてなく、突部１４ａを回避して迂回する形の切欠２１ａが形成されている（図５，図６参照）。
【００３２】
一方、第２キャビネットＣｂは、図２に示すように、底面３０を構成する底板Ｃｂ１と、壁部３１を構成する壁板Ｃｂ２とを備えている。なお、壁部３１は、底面３０に対して所定の角度で傾斜するように配されている。
【００３３】
底板Ｃｂ１には、その底面３０上にランプクリップ７０を介して２本の熱陰極管５０が取り付けられており、熱陰極管５０から当該第２キャビネットＣｂの内面に発せられた光を反射するための反射シート６０が敷設されている。熱陰極管５０は、細長い管状をなす線状光源とされており、その長さ方向（軸方向）を第２キャビネットＣｂの長辺方向と一致させた状態で、かつ２本が互いに平行に並んだ状態で底面３０に配置されている。
【００３４】
反射シート６０は、合成樹脂製とされ、その表面が光反射性に優れた白色とされており、第２キャビネットＣｂの内面に沿ってそのほぼ全域を覆うように敷かれている。具体的には、底面３０に沿って敷設された底部に加え、壁部３１に沿うように傾斜した傾斜部（壁部３１とは若干角度は異なる）を備え、その傾斜部により反射した光を内側（当該表示装置の中心側）に指向させることが可能となっている。また、底板Ｃｂ１の底面３０のうち熱陰極管５０が配された領域３０ａとは異なる領域３０ｂには、熱陰極管５０に駆動電力を供給するための駆動電力供給基板等の回路基板８０が配されている。
【００３５】
ランプクリップ７０は、底板Ｃｂ１の底面３０に宛てられる板部７１と、板部７１から光学部材２０側に突出し、光学部材２０を支持する支持ピン７２と、同じく板部７１から光学部材２０側に突出し、熱陰極管５０を把持する光源把持部７４と、板部７１から底板Ｃｂ１側に突出し、当該ランプクリップ７０を底板Ｃｂ１に取り付けるための係止部７３と、を備えている。
【００３６】
壁板Ｃｂ２（壁部３１）の内面にも回路基板８０が配されており、テレビ受信装置ＴＶにおける映像を制御するための映像制御基板等が配されている。なお、上記と同様の駆動電力供給基板が配置することも可能である。
【００３７】
壁部３１の頂部分には、反射シート６０及び光学部材２０を挟持するための、挟持用片部（第２挟持用部材）３８が形成されており、挟持用片部３８上には第１キャビネットＣａ側に突出する突部（第２突部）３８ａと、これよりも更に第１キャビネットＣａ側に高く突出する突部（第３突部、爪部規制用突部）３５が形成されている。挟持用片部３８は、第１キャビネットＣａの挟持用片部１４との間で光学部材２０を挟持するものであり、特に挟持用片部３８には第１キャビネットＣａ側に突出する突部３８ａが形成されており、この突部（第２突部）３８ａの頂面（頂部）３８ｂにて光学部材２０のうち拡散板２２のみを押え付ける構成となっている。つまり、拡散板２２よりも挟持用片部３８側に配される反射シート６０については突部３８ａに押え付けられてなく、突部３８ａを回避して迂回する形の切欠６０ａが形成されている（図５，図６参照）。
【００３８】
一方、突部３５は、その内側にて光学部材２０の面方向への移動を規制している。また、突部３５は、上述したように第１キャビネットＣａの爪部１３の裏側（外側）に配された突部収容部１８に収容され、その裏側（外側）から爪部１３を液晶パネル１１側（内側）に付勢している（図７も参照）。
【００３９】
次に、本実施形態の液晶表示装置１０の組立方法について説明する。
まず、第１キャビネットＣａに液晶パネル１１を取り付ける。つまり、別途製造された液晶パネル１１を第１キャビネットＣａの爪部１３に取り付けるのであるが、ここでは図７に示すように、第１キャビネットＣａの裏側から、爪部１３の傾斜面１３ａに対して液晶パネル１１を押し込むことで（矢印方向）、爪部１３を拡開する方向（外側）に弾性変形させ、係止面１３ｂと弾性部材１２の間に収容させる。液晶パネル１１が係止面１３ｂと弾性部材１２の間に収容されると、爪部１３が弾性復帰し、係止面１３ｂと弾性部材１２の間からの液晶パネル１１の脱落が防止ないし抑制されている。
【００４０】
また、液晶パネル１１を取り付けた第１キャビネットＣａに対して、図８に示すように、光学シート２１を組み付ける。ここでは、第１キャビネットＣａの挟持用片部１４の突部１４ａと、光学シート２１の切欠２１ａとを嵌合させることで、光学シート２１と第１キャビネットＣａとを組み付けるものとしている。
【００４１】
一方、第２キャビネットＣｂには、図９に示すように、まず反射シート６０を取り付ける。ここでは、第２キャビネットＣｂの挟持用片部３８の突部３８ａと、反射シート６０の切欠６０ａとを嵌合させることで、反射シート６０と第２キャビネットＣｂとを組み付けるものとしている。
【００４２】
また、反射シート６０を取り付けた第２キャビネットＣｂに、図１０に示すように、ランプクリップ７０を取り付け、さらにランプクリップ７０の光源把持部７４に対して熱陰極管５０を取り付ける。さらに、拡散板２２を突部３８ａ上に配し、突部３５により面方向の移動が規制された形にて取り付ける。
【００４３】
そして、図１１に示すように、これら第１キャビネットＣａと第２キャビネットＣｂとを、互いの取付面１９，３９を対向させて、尚且つ第１キャビネットＣａの突部収容部１８に突部３５が収容されるように組み付ける。この組み付けに伴い、光学部材２０及び反射シート６０が第１キャビネットＣａの挟持用片部１４と第２キャビネットＣｂの挟持用片部２２との間で挟持されることとなる。また、光学部材２０のうち拡散板２２は、突部１４ａと突部３８ａとに挟持され、つまり突部１４ａの頂部１４ｂと突部３８ａの頂部３８ｂとにより押え付けられて位置固定されることとなる。
このような第１キャビネットＣａと第２キャビネットＣｂとの係合により、液晶表示装置１０が完成し、これをスタンドＳ（図１参照）により支持することで、テレビ受信装置ＴＶが供される。
【００４４】
以上のような本実施形態のテレビ受信装置ＴＶによると、その液晶表示装置１０において、第１キャビネットＣａには液晶パネル１１を、第２キャビネットＣｂには熱陰極管５０を取り付けているため、各キャビネットＣａ，Ｃｂを係合することで、熱陰極管５０からの光を利用した液晶パネル１１の表示機能を実現することが可能となっている。
【００４５】
また、第１キャビネットＣａ及び第２キャビネットＣｂが当該液晶表示装置１０の外観をなす外箱を構成しているため、これら第１キャビネットＣａと第２キャビネットＣｂとを係合するのみで、当該液晶表示装置１０をテレビ受信装置ＴＶ等の最終製品として供することが可能となっている。特に、本実施形態では、ベゼル等の取付部材を廃止しているため、材料コストの削減が実現されている。また、例えば液晶パネルとバックライト装置の組付け後にこれを別個のキャビネットに収容することでテレビ受信装置等の最終製品を供する場合に比して、組付け工程数が削減されるため、この点でもコスト削減が実現されている。
【００４６】
また、液晶パネル１０のバックライト装置（ここでは第２キャビネットＣｂ）に対する位置合せが、第１キャビネットＣａと第２キャビネットＣｂとの係合により実現されるため、その作業性が向上し、液晶パネル１１において位置合せ用の領域を確保する必要がなくなる。したがって、当該液晶パネル１１の有効表示領域が小さくなる事態を伴うことなく、位置合せを容易に行うことが可能となる。
【００４７】
また、第１キャビネットＣａが枠状に構成され、その枠内に液晶パネル１１の表示面１１ａが配されている。したがって、第１キャビネットＣａと第２キャビネットＣｂを係合することのみで、液晶パネル１１の表示面１１ａを構成することができ、テレビ受信装置ＴＶの最終製品を供することが可能となる。
【００４８】
また、第１キャビネットＣａと第２キャビネットＣｂとの間に挟まれる光学部材２０について、相対的に重量の大きい拡散板２２を、第１キャビネットＣａ（第２キャビネットＣｂ）に設けた突部１４ａ（突部３８ａ）の頂部１４ｂ（頂部３８ｂ）により押え付けるものとしているため、重量の大きい拡散板２２が揺動する不具合が生じ難いものとなっている。したがって、拡散板２２において、該揺動に基づく他部材との間の摩擦が生じ難く、故に、摩擦により傷が付いてしまう等の不具合が生じ難いものとなっている。また、特に突部１４ａ（突部３８ａ）の頂部１４ｂ（頂部３８ｂ）により押え付けるものとしているため、押えられる部分の面積が小さく、したがって熱陰極管５０等からの発熱による伸縮（熱膨張）に自由度があり、シワが発生する等の不具合も生じ難いものとなっている。
【００４９】
また、光学シート２１には、突部１４ａを回避する形にて切欠２１ａが形成されている。拡散板２２に比して相対的に重量の小さい光学シート２１は、突部１４ａにより押え付けられることがないため伸縮等に対して自由となり、シワが発生し難いものとなる。特に、本実施形態では、光学シート２１は厚さが薄いためにシワが発生し易いが、上記のように切欠２１ａを設けることで、その防止効果が一層顕著となり得る。なお、光学シート２１は、突部１４ａを回避しているため、揺動し得ることとなるが、重量が小さいために摩擦等による傷付きの可能性は小さい。
【００５０】
また、反射シート６０は、光学部材２０と同様に、第１キャビネットＣａと第２キャビネットＣｂとの間に挟まれており、第２キャビネットＣｂに設けられた突部３８ａを回避する形の切欠６０ａを有している。したがって、反射シート６０はキャビネットＣａ，Ｃｂ間で挟持して固定されるとともに、第２キャビネットＣｂの突部３８ａは反射シート６０を回避し、該突部３８ａにより拡散板２２を押え付けるものとしているため、反射シート６０と拡散板２２とが強い力で擦れ合うことが回避され、擦れに起因するキシミ音の発生が防止ないし抑制されている。
【００５１】
また、第１キャビネットＣａにおいては、弾性変形可能な爪部１３により液晶パネル１１を係止しているため、その弾性変形を利用した液晶パネル１１の着脱が可能となっている。また、第２キャビネットＣｂの爪部規制用突部３５により、液晶パネル１１を係止する力が強固となる方向に当該爪部１３を弾性変形させているため、液晶パネル１１の係止を一層確実にしている。
【００５２】
また、第２キャビネットＣｂにおいては、底面３０に熱陰極管５０を取り付けているため、液晶パネル１１と熱陰極管５０との距離を大きく確保することが可能となっている。そのため、熱陰極管５０から出射される光のムラが解消され、液晶パネル１１の全面にわたって広く光が照射されるものとなっている。
【００５３】
また、本実施形態では、第１キャビネットＣａと第２キャビネットＣｂは、当該液晶表示装置１０の外観をなす外箱を構成しているため、その外側に駆動電力を供給するための駆動電力供給基板を配することは意匠上も安全上も好ましくない。そこで、熱陰極管５０が取り付けられた第２キャビネットＣｂの内側に駆動電力供給基板８０を配することとし、意匠上及び安全上の問題を解消し、しかも電力供給に係る配線等の簡素化も実現している。
【００５４】
また、第１キャビネットＣａには、光学部材２０を挟持するための挟持用片部１４が同一平面内に複数形成され、隣り合う挟持用片部１４，１４の間（平面視）には爪部１３が形成されている。そして、第２キャビネットＣｂには、挟持用片部１４との間で光学部材２０を挟持する挟持用片部３８が形成され、さらには爪部１３を付勢する突部３５が形成されている。これにより、液晶パネル１１の係止、光学部材２０の挟持、突部による表示パネルの位置ズレ防止を併せて実現できるものとなっている。つまり、第１キャビネットＣａにおいて、隣り合う挟持用片部１４，１４の間に液晶パネル１１を係止する爪部１３を形成することで、挟持用片部１４と爪部１３（及び突部３５）とが重なり合わないため、爪部１３による液晶パネル１１の係止、挟持用片部１４と挟持用片部３８とによる光学シートの挟持、突部３５による液晶パネル１１の位置ズレ防止を好適に実現できるものとなっている。
【００５５】
また、第２キャビネットＣｂは熱陰極管５０が取り付けられた底面３０を備え、底面３０の一部の領域３０ａに熱陰極管５０を偏在させ、第２キャビネットＣｂの内側のうち熱陰極管５０が配された領域３０ａと異なる領域３０ｂ（壁部３１を含む）に、熱陰極管５０に対して駆動電力を供給するための駆動電力供給基板８０を配している。このように熱陰極管５０が配置されていない領域に駆動電力供給基板８０を配することで、第２キャビネットＣｂの内側において好適に駆動電力供給基板８０を配置することが可能となっている。
【００５６】
＜実施形態２＞
次に、本発明の実施形態２のテレビ受信装置について説明する。
実施形態２のテレビ受信装置は、光学部材２０及び反射シート６０を挟持する構成が実施形態１と異なる。それ以外の構成については、概ね実施形態１のテレビ受信装置ＴＶと同様の構成であるため、説明を省略する。
【００５７】
実施形態２のテレビ受信装置ＴＶは、図１２に示した要部構成を備える液晶表示装置１００をスタンドＳ（図１参照）にて支持した構成を備える。
この液晶表示装置１００は、実施形態１の液晶表示装置１０とは異なり、第２キャビネットＣｂにおいて拡散板２２を押え付けるための突部が形成されていない。つまり、挟持用片部３８と、第１キャビネットＣａの挟持用片部１４の突部１４ａとの間に、反射シート６０と拡散板２２が重なるように挟持され、拡散板２２は、突部１４ａの頂部１４ｂにより押え付けられる構成となっている。したがって、反射シート６０には、実施形態１のような切欠（６０ａ）は形成されていない。
【００５８】
＜実施形態３＞
次に、本発明の実施形態３のテレビ受信装置について説明する。
実施形態３のテレビ受信装置は、拡散板２２を挟持する構成が実施形態１と異なる。それ以外の構成については、概ね実施形態１のテレビ受信装置ＴＶと同様の構成であるため、説明を省略する。
【００５９】
実施形態３のテレビ受信装置ＴＶは、図１３に示した要部構成を備える液晶表示装置１０１をスタンドＳ（図１参照）にて支持した構成を備える。
この液晶表示装置１０１は、実施形態１の液晶表示装置１０とは異なり、拡散板２２を押え付けるための突部１４ａ，３８ａに対して、その頂面（頂部）１４ｂ，３８ｂにポロン等の弾性部材９５が付与されており、この弾性部材９５を介在させた形にて、突部１４ａと突部３８ａとの間に拡散板２２を挟持している。つまり、弾性部材９５を介在させた突部１４ａ（３８ａ）の頂部１４ｂ（３８ｂ）により、拡散板２２を押え付けるものとしている。
【００６０】
＜他の実施形態＞
以上、本発明の実施形態について示したが、本発明は上記記述及び図面によって説明した実施形態に限定されるものではなく、例えば次のような実施形態も本発明の技術的範囲に含まれる。
（１）上記実施形態１〜３では、光源として熱陰極管５０を用いるものとしているが、例えば冷陰極管を光源として用いることも可能である。
（２）上記実施形態１〜３では、熱陰極管５０を２本、底板Ｃｂ１の中心領域３０ａに偏在して配置するものとしているが、例えば底板Ｃｂ１の全面に熱陰極管５０を配置するものとしても良い。特に、光源として冷陰極管を用いる場合には、底板Ｃｂ１の全面に亘って並列配置するのが好ましい。
【符号の説明】
【００６１】
１０，１００，１０１…液晶表示装置（表示装置）、１１…液晶パネル（表示パネル）、１１ａ…表示面、１３…爪部、１３ａ…傾斜面、１３ｂ…係止面、１４…挟持用片部（第１挟持用部材）、１４ａ…突部（第１突部）、１４ｂ…頂面（頂部）、１８…突部収容部、１９…取付面、２０…光学部材、２１…光学シート（第２光学部材）、２１ａ…切欠、２２…拡散板（第１光学部材）、３０…底面、３１…壁部、３５…突部（爪部規制用突部）、３８…挟持用片部（第２挟持用片部）、３８ａ…突部（第２突部）、３８ｂ…頂面（頂部）、３９…取付面、５０…熱陰極管（光源）、６０…反射シート、６０ａ…切欠、７０…ランプクリップ、７１…支持ピン、ＴＶ…テレビ受信装置、Ｃａ…第１キャビネット（表側キャビネット）、Ｃｂ…第２キャビネット（裏側キャビネット）
【図１】
2010146931.tif 000003
【図２】
2010146931.tif 000004
【図３】
2010146931.tif 000005
【図４】
2010146931.tif 000006
【図５】
2010146931.tif 000007
【図６】
2010146931.tif 000008
【図７】
2010146931.tif 000009
【図８】
2010146931.tif 000010
【図９】
2010146931.tif 000011
【図１０】
2010146931.tif 000012
【図１１】
2010146931.tif 000013
【図１２】
2010146931.tif 000014
【図１３】
2010146931.tif 000015
【国際調査報告】
2010146931.tif 000016
2010146931.tif 000017